(57)【特許請求の範囲】
【請求項１】
接触式ＩＣカードを封入して郵送するための封筒であって、ＩＣカードをＩＣカード用封入台紙に取り付けし、当該ＩＣカード用封入台紙を納められる略同一サイズの前記封筒内に、ＩＣカードを封入した状態で、当該封筒の前記ＩＣカード用封入台紙に取り付けしたＩＣカードのＩＣモジュールに対面する位置部分の内面には、厚み０．２０ｍｍのＰＥＴシートからなる保護部材を貼り付けまたは固定してあることを特徴とするＩＣカード郵送用封筒。
【請求項２】
前記保護部材が、ＩＣモジュールの大きさよりは、上下左右に２〜１０ｍｍ大きくされていることを特徴とする請求項1記載のＩＣカード郵送用封筒。
【発明の詳細な説明】
【技術分野】
【０００１】
本発明は、接触式ＩＣカードを郵便物として郵送する際に使用する封筒に関する。
特には、発行者が接触式ＩＣカードを利用者に送付する際に、当該ＩＣカードを貼り付けした台紙を封入して郵送する封筒に関するが、郵便物が仕分け処理される際に接触式ＩＣカードのＩＣモジュールが損傷しないようにしたことを考慮した封筒に関する。
【背景技術】
【０００２】
クレジットカードをはじめとする大半のＩＣカードは、カード製造メーカで製造された後、クレジットカード会社またはクレジットカード会社が委託した外注加工業者により、各種クレジットカードアプリケーションのローディング、ファイル作成、メモリ領域の割り当て、パラメータ設定、個人情報の書き込み等、ＩＣ（集積回路）内部への書き込み処理と、カード基材側への顔写真印刷、会員番号、氏名、有効期限等の印字、エンボス加工、磁気ストライプへの情報書き込み等のいわゆる発行処理が行われ、これを受け取った利用者がすぐに市場の店舗等で使用できる状態にされる。
【０００３】
このような発行処理済みカードは、そのままクレジットカード会社から利用者に手渡されるケースもあるが、大半の場合は、ＩＣカード用封入台紙に貼り付けられ、各種封入物（ＩＣカード用保護用紙、広告資料、案内状、申し込み用紙、宛て名印字用紙等）とともに、郵便物として利用者に送付される。
【０００４】
ところで、これら郵便物として処理される場合、大型の郵便局では大量の郵便物の配達先を郵便番号別に自動的に仕分け分類する「郵便区分け機」と呼ばれる機械に通して処理することが行われる。当該装置は通常の一般郵便物を仕分け対象としていることもあり、精密電子機器でもあるＩＣカードに対しては、過酷な取り扱いとなり、ＩＣカードのＩＣモジュールが損傷を受ける場合がある。
本願は、このような「郵便区分け機」によりＩＣカード封入郵便物が処理さた場合にも上記のような損傷を受けないようにすることを目的とするものである。
【０００５】
ところで、「郵便区分け機」も機種により構造の違いはあるが、概ね、以下のような構造をもっている。
（１）郵便物を表裏からゴムベルトで挟み搬送する機構
（２）郵便物を上方に持ち上げる際に、郵便物の自重によるスリップや傾きを防ぐための表裏のローラ搬送機構
（３）郵便物の搬送経路を切り替えるための駆動ローラ機構
（４）郵便物の方向変更のためのローラとゴムベルトによる搬送機構
【０００６】
図９は、代表的な郵便区分け機の上記（２）のローラ搬送機構を示す図で、図９（Ａ）は搬送機構斜視図、図９（Ｂ）は上側から見た平面図である。
郵便物１０は、ローラ軸２０，２１に取り付けたゴム巻きローラにより挟まれて搬送される。ローラ軸２０は３輪の表面ゴム巻きローラ２０ａ，２０ｂ，２０ｃを有しており、ローラ軸２１も３輪の表面ゴム巻きローラ２１ａ，２１ｂ，２１ｃを有している。
図９（Ｂ）のように、ローラ２０ａと２０ｂ，２０ｂと２０ｃは、互いに約３０ｍｍの間隔で軸２０に保持され、ローラ２１ａ，２１ｂ，２１ｃも同一間隔で軸２１に保持されている。各ゴム巻きローラの幅はいずれも７ｍｍ程度である。ローラ軸２０とローラ軸２１は約１０ｍｍ前後にずれるように配置されているので、ローラ２０ａと２１ａ、２０ｂと２１ｂ、２０ｃと２１ｃの各ローラ対は郵便物１０が無い状態でも直接は接触しないようにされている。なお、ローラ配列は、メーカーや機種により若干の違いがあるが、郵便物を上昇搬送させる箇所では、滑りを防止するため概ねこのような構造をとることが通例である。
【０００７】
上記のような搬送機構は、ＩＣカードを郵便物に入れた場合、ＩＣカードのＩＣモジュール部に、点圧、線圧、曲げ等の外力負荷を与え、場合によってはＩＣチップやモジュール回路が外力に耐えられず破損するおそれがある。
同封されている封入物は、ある程度、ＩＣモジュールの負荷軽減に役立つものの、ＩＣ部保護を目的に作成されたものではないため、十分な保護効果が得られないことが多い。
【０００８】
この郵便区分け機は、特定の集配局に対してだけではなく、中継する途中の郵便局でも使用する可能性があるため、特定郵便局にだけ、郵便区分け機不使用の依頼をしたとしても、中継する郵便局にこのような依頼をすることはできないので、ＩＣモジュールを郵便区分け機の外力負荷から保護する対策が必要不可欠となる。
【０００９】
ＩＣカード郵送物において、郵送用封筒に対してこのような対策を講じる先行技術は検出されないが、ＩＣカード用封入台紙に関しては、以下のように特許文献が多数ある。
【００１０】
【特許文献１】特開平０５−９６８８５号公報
【特許文献２】特開平０６−１９１５０９号公報
【特許文献３】特開２０００−２７２６３２号公報
【特許文献４】特開２００４−８２５８１号公報
【発明の開示】
【発明が解決しようとする課題】
【００１１】
接触式ＩＣカードを郵便物として封筒に封入して郵送し、郵便区分け機で区分け処理しても、所定の加工がされたＩＣカード郵送用封筒を使用することによりＩＣカードのＩＣモジュールが損傷を受けないようにすることを課題とする。
【課題を解決するための手段】
【００１２】
上記課題を解決する本発明の要旨は、接触式ＩＣカードを封入して郵送するための封筒であって、ＩＣカードをＩＣカード用封入台紙に取り付けし、当該ＩＣカード用封入台紙を納められる略同一サイズの前記封筒内に、ＩＣカードを封入した状態で、当該封筒の前記ＩＣカード用封入台紙に取り付けしたＩＣカードのＩＣモジュールに対面する位置部分の内面には、厚み０．２０ｍｍのＰＥＴシートからなる保護部材を貼り付けまたは固定してあることを特徴とするＩＣカード郵送用封筒、にある。
【発明の効果】
【００１３】
接触式ＩＣカードを郵便物として本発明のＩＣカード郵送用封筒を使用する場合は、ＩＣカードのＩＣモジュールが損傷を受けることがない。
【発明を実施するための最良の形態】
【００１４】
以下、本発明のＩＣカード郵送用封筒について図面を参照して説明する。
図１は、本発明のＩＣカード郵送用封筒を示す平面図、図２は、ＩＣカード郵送用封筒の使用状態を示す図、図３は、図２の断面図、図４は、従来の通常のＩＣカード内蔵郵送物の外観図、図５は、ＩＣカード用封入台紙の平面図、図６は、ＩＣカード用封入台紙にＩＣカードを取り付けした状態図、図７は、ＩＣカードを封筒内に封入した従来の状態図、図８は、ＩＣカード用封入台紙の他の形態の平面図、である。
【００１５】
理解の容易のため、まず従来のＩＣカード郵送状態から説明する。
ＩＣカード内蔵郵送物１０ｊは、図４のような窓空き封筒５の中に封入されてＩＣカード発行者から利用者に郵送される。
窓空き封筒５の中には、図５のようなＩＣカード用封入台紙２を差し込みして用いられる。ＩＣカード用封入台紙２は、窓空き封筒５の中に納まる大きさなので、封筒の内寸よりは小さいが封筒内でほぼ所定位置に定まるサイズの形状にされている。したがって、位置が定まらないで封筒内で上下左右に大きく移動するようなことはない。
【００１６】
図５の場合は、単票のＩＣカード用封入台紙２とされているが、二つ折りの台紙であってもよい。ＩＣカード１は、封入台紙２に打ち抜き等して設けた切り込み６に、ＩＣカードの２つの対角部を嵌め込みして保持されるようにされている。
図６は、ＩＣカード用封入台紙２にＩＣカード１を取り付けした状態図である。図６の場合、２枚のＩＣカードが保持されているが、１枚であっても勿論構わない。ＩＣカード用封入台紙２は、図８のように、切り込み６の他に弱粘着性テープ４を併用する形態であってもよい。この場合は、より安定した状態でＩＣカードを保持できる。
【００１７】
図７は、ＩＣカード用封入台紙２にＩＣカード１を取り付けして窓空き封筒５内に封入した状態であり、封入台紙２の外側の線は郵送用封筒５の外形を示している。
郵送用封筒５内にはさらに他の封入物３が封入されている。それらは、広告資料、取り扱い等の案内状、申し込み用紙、宛て名印字用紙、等である。これらが一括して封入物とされる。利用者の住所、氏名等の宛先はこれらのいずれかに印字されて郵送用封筒５の窓部に位置するように封入される。従来は、このような状態で封筒５内にＩＣカード１を封入した状態で郵送している。ＩＣカード１のＩＣモジュール１ｍ部分を特別に保護する対策がされていないので、「郵便区分け機」の処理による前記問題が生じていたと考えられる。
【００１８】
図１は、本発明のＩＣカード郵送用封筒を示す平面図である。
本発明のＩＣカード郵送用封筒５は、ＩＣカード１をＩＣカード用封入台紙２に取り付けして郵送用封筒５内に一緒に封入した状態で、ＩＣカード１のＩＣモジュール１ｍに対面する位置部分の封筒５の内面に、ポリエチレンテレフタレート（ＰＥＴ）樹脂製の平面な保護部材８が貼り付けまたは固定されている特徴がある。
【００１９】
ポリエチレンテレフタレート（ＰＥＴ）樹脂製の平面な保護部材８には厚み、０．２０ｍｍのものを使用することができる。このものを当該部分に接着剤や粘着剤で貼り付けしたり、接着テープで固定することができる。
【００２０】
保護部材８は、少なくともＩＣモジュール１ｍの大きさ程度とする。「郵便区分け機」ローラの圧力が局所的に集中してＩＣモジュール１ｍが損傷を受けることを免れるためである。通常は、ＩＣカード用封入台紙２とＩＣカード用封入物３の封筒５内の位置ずれも考慮してＩＣモジュール１ｍの大きさよりは、上下左右に２〜１０ｍｍ程度は大きくするのが好ましい。保護部材８を取り付けした部分がＩＣモジュール１ｍ側に対面するようにする。保護部材８を介することで、ローラの接触圧がかかる面積が拡張し、ＩＣチップに対する集中荷重を防止できるからである。
【００２１】
図２は、ＩＣカード郵送用封筒５の使用状態を示す図である。ＩＣカード用封入台紙２の外側の線は郵送用封筒５の外形を示している。ＩＣカード１はＩＣカード用封入台紙２に保持されている。郵送用封筒５にはさらに他の封入物３、例えば、広告資料、取り扱い等の案内状、申し込み用紙、宛て名印字用紙等、が封入される場合がある。図２では封入物３をハッチングを施して図示している。利用者の住所、氏名等の宛先はこれら封入物のいずれかに印字されて郵送用封筒５の窓部に位置するようにされる。
【００２２】
図３は、図２の断面図であって、図２のＩＣカードのＩＣモジュール部分を横断する断面を示している。２枚のＩＣカード１は、ＩＣカード用封入台紙２に保持された状態で封筒５内に封入されている。ＩＣカード用封入台紙２のＩＣカード１のＩＣモジュール１ｍに対面する部分の封筒５の内面には、ポリエチレンテレフタレート（ＰＥＴ）樹脂製の保護部材８が貼り付けまたは固定されている。図では、１枚の封入物３が封入されている状態が図示されている。
【実施例】
【００２３】
ＩＣカード用封入台紙２として上質紙（９０ｋｇ／４６判）を使用し、２枚の接触式ＩＣカードを保持できるように、図５のように切り込み６を設けた台紙を準備した。
ＩＣカード郵送用封筒５として上質紙（４６．７ｋｇ／菊全判）を使用した。当該ＩＣカード用封入台紙２を窓空き封筒５内に封入した場合の、ＩＣカード１のＩＣモジュール１ｍ部分に対面する部分の封筒５の内面の２箇所に、大きさ２０ｍｍ×２３ｍｍのＰＥＴシート（厚み２００μｍ）からなる保護部材８を貼着した郵送用封筒５を準備した。
【００２４】
上記のＩＣカード用封入台紙２に接触式ＩＣカード１を２枚取り付けし、図２、図３のように、ＩＣカード１のＩＣモジュール１ｍが封筒５の保護部材８に位置するように郵送用封筒５内に封入物３とともに封入した郵便物とした。この郵便物を「郵便区分け機」と類似する搬送機構を持つ試作試験機で区分け処理を繰り返し（各５回）実施したが、ＩＣモジュール１ｍが損傷を受けることはなかった（試料点数１０）。
一方、本発明のＩＣカード郵送用封筒５を使用しない従来方式の郵便物では、同一処理回数、試料点数において、１点のＩＣモジュール１ｍの損傷が生じた。ただし、封入物３も同一のものを使用し、試験品と同一厚みとなるようにした。以上の結果から、本発明のＩＣカード郵送用封筒５がＩＣモジュールの保護に有効に機能することが確認できた。
【図面の簡単な説明】
【００２５】
【図１】本発明のＩＣカード用郵送用封筒を示す平面図である。
【図２】ＩＣカード郵送用封筒の使用状態を示す図である。
【図３】図２の断面図である。
【図４】従来の通常のＩＣカード内蔵郵送物の外観図である。
【図５】ＩＣカード用封入台紙の平面図である。
【図６】ＩＣカード用封入台紙にＩＣカードを取り付けした状態図である。
【図７】ＩＣカードを封筒内に封入した従来の状態図である。
【図８】ＩＣカード用封入台紙の他の形態の平面図である。
【図９】郵便区分け機のローラ搬送機構を示す図である。
【符号の説明】
【００２６】
１    ＩＣカード
２    ＩＣカード用封入台紙
３    封入物
５    郵送用封筒、窓空き封筒
６    切り込み
７    窓空き部
８    保護部材
１０    ＩＣカード内蔵郵便物
【図１】
0005194344.tif 000002
【図２】
0005194344.tif 000003
【図３】
0005194344.tif 000004
【図４】
0005194344.tif 000005
【図５】
0005194344.tif 000006
【図６】
0005194344.tif 000007
【図７】
0005194344.tif 000008
【図８】
0005194344.tif 000009
【図９】
0005194344.tif 000010